【手続補正書】
【提出日】平成20年5月7日(2008.5.7)
【手続補正１】
【補正対象書類名】明細書
【補正対象項目名】特許請求の範囲
【補正方法】変更
【補正の内容】
【特許請求の範囲】
【請求項１】  上部および下部金属板と、上部金属板と下部金属板との間でせん断力を伝達するように前記金属板に接合されたコンパクトエラストマーの中間層とを有する、サンドイッチ構造、および橋床パネルの周縁に取り付けられた金属枠組を備え、前記金属枠組のウェブが前記中間層の周囲の側壁を形成する橋床パネル。
【請求項２】  金属枠組の間に延びて、金属枠組に接合された少なくとも１つの中間梁をさらに備え、前記中間梁のウェブが前記中間層によって充填される空間の側壁を形成する、請求項１に記載の橋床パネル。
【請求項３】  少なくとも１つの中間梁または各少なくとも１つの中間梁が、前記金属面板の少なくとも１つに取り付けられる、請求項２に記載の橋床パネル。
【請求項４】  前記上部金属板が０．５ｍｍから２５ｍｍまでの範囲の厚さを有し、前記下部金属板が０．５ｍｍから２５ｍｍまでの範囲の厚さを有し、前記中間層が５ｍｍから１０００ｍｍまでの範囲の厚さを有する、請求項１から３のいずれか一項に記載の橋床パネル。
【請求項５】  前記上部および下部金属板が、異なる金属から成り、かつ／または異なる厚さであり、かつ／または異なる表面処理を施されている、請求項１から４のいずれか一項に記載の橋床パネル。
【請求項６】  前記中間層が、型材と、前記型材に占有されていない前記上部金属板と下部金属板との間の空間を占有する前記コンパクトエラストマーとを含む、請求項１に記載の橋床パネル。
【請求項７】  前記型材が、前記橋床パネルの少なくとも１つの側壁とほぼ平行に配置された複数の細長要素を備える、請求項６に記載の橋床パネル。
【請求項８】  前記細長要素が、前記上部金属板と下部金属板との間に架かって、前記橋床パネルの実質上全長に延び、それによって前記エラストマーが複数の離隔した細長リブを形成する、請求項７に記載の橋床パネル。
【請求項９】  前記細長リブの１つに接合された少なくとも１つのシアープレートをさらに備える、請求項８に記載の橋床パネル。
【請求項１０】  前記少なくとも１つのシアープレートが通し穴を有する、請求項９に記載の橋床パネル。
【請求項１１】  前記上部金属板と下部金属板との間のせん断を防止するために、前記細長リブの１つに接合された少なくとも１つの金属部材をさらに備える、請求項８に記載の橋床パネル。
【請求項１２】  前記上部および下部金属板が、実質上前記中間層との接着のみによって互いに保持される、請求項６から１１のいずれか一項に記載の橋床パネル。
【請求項１３】  前記上部および下部金属板を接合する構造溶接を有さない、請求項６から１２のいずれか一項に記載の橋床パネル。
【請求項１４】  前記エラストマーが、約２５０ＭＰａ以上の弾性係数Ｅ、および金属層の延性を超える延性を有する、請求項１から１３のいずれか一項に記載の橋床パネル。
【請求項１５】  前記エラストマーが、約２７５ＭＰａ以上の弾性係数を有する、請求項１から１４のいずれか一項に記載の橋床パネル。
【請求項１６】  隣接する類似のパネルを接合し、隣接する類似のパネル間でせん断力を伝達するクリップを受けるために、少なくとも１つの側縁において少なくとも１つの前記金属板に少なくとも１つのくぼみを有する、請求項６から１５のいずれか一項に記載の橋床パネル。
【請求項１７】  前記くぼみと係合して、前記橋床パネルを互いに接合するＨ字型クリップ、および請求項１６に記載の２枚の橋床パネル。
【請求項１８】  隣接する類似のパネルを接合し、隣接する類似のパネル間でせん断力を伝達する雄型金属せん断継手を受けるための、前記コンパクトエラストマー材料内に埋入された少なくとも１つの横方向チューブを有する、請求項１から１５のいずれか一項に記載の２枚の橋床パネル。
【請求項１９】  隣接する類似のパネルを接合し、隣接する類似のパネル間でせん断力を伝達するボルトを受けるためのボルト穴を備える周縁枠組を有する、請求項１から１５のいずれか一項に記載の橋床パネル。
【請求項２０】  パネルと橋枠組部材を接合するボルトを受けるための、厚さを通る金属製の管状スリーブを有する、請求項１から１９のいずれか一項に記載の橋床パネル。
【請求項２１】  添付図面を参照にして下記で説明するように実質上製造された橋床パネル。
【請求項２２】  請求項１から２１のいずれか一項に記載の少なくとも１つの橋床パネルを有する橋。
【請求項２３】  金属枠組を製造するステップと、
前記金属枠組を突出ブロックの周囲に配置するステップと、
前記金属枠組内の前記突出ブロックに第１の金属板を配置するステップと、
前記第１の金属板を前記金属枠組に溶接するステップと、
前記金属枠組に第２の金属板を配置して、前記第１の金属板とともにキャビティを形成するステップと、
前記第２の金属板を前記金属枠組に溶接するステップと、
未硬化のコンパクトエラストマー材料を前記キャビティ内に射出するステップとを含み、前記コンパクトエラストマー材料が、前記第１の金属板および前記第２の金属板をともに接合し、前記第１の金属板と前記第２の金属板との間でせん断力を伝達する、橋床パネル製造方法。
【請求項２４】  前記射出ステップ用の射出口および排気穴が、前記第１の金属板、前記第２の金属板、または前記金属枠組のいずれかに設けられる、請求項２３に記載の方法。
【請求項２５】  前記金属枠組が少なくとも１つの中間梁を備え、前記金属枠組を突出ブロックの周囲に配置する前記ステップにおいて、中間梁または各中間梁が隣接する突出ブロックの間にあるように、前記金属枠組が少なくとも２つの突出ブロックの周囲に配置される、請求項２３または２４に記載の方法。
【請求項２６】  上部および下部金属板ならびに型材を成形型内でアセンブルし、前記型材が、前記成形型内の上部および下部金属板の間に空隙を残して位置決めされるステップと、
前記成形型を閉じるステップと、
未硬化のエラストマー材料を前記成形型内に射出して、前記上部金属板と下部金属板との間の前記空隙を充填し、硬化したとき、上部金属板と下部金属板との間でせん断力を伝達するように、前記エラストマー材料が前記上部および下部金属板と接合するステップとを含む、橋床パネル製造方法。
【請求項２７】  前記成形型を閉じる前記ステップの前に、少なくとも１つの金属チューブまたは少なくとも１つのスリーブが、前記上部および下部金属板の間でさらに位置決めされる、請求項２６に記載の方法。
【請求項２８】  前記型材が複数の細長要素を備え、アセンブリするステップにおいて、前記細長要素がほぼ平行に間隔を空けて前記成形型内に配置され、それによって前記エラストマーが、射出されたとき複数の間隔の空いたリブを形成する、請求項２６または２７に記載の方法。
【請求項２９】  アセンブリするステップにおいて、前記エラストマーが、前記シアープレート、ならびに前記上部および下部金属板と接合するように、少なくとも１つのシアープレートが、少なくとも１つの細長要素に隣接して前記成形型内に配置される、請求項２８に記載の方法。
【請求項３０】  アセンブリするステップの前に、前記複数の細長要素の少なくとも１つを、あるシアープレートまたは少なくとも１つの細長要素に隣接して成形型内に配置されたシアープレートと一体に射出成形する別のステップを含む、請求項２９に記載の方法。
【請求項３１】  実質上添付図面を参照にして下記で説明するような橋床パネル製造方法。